(57)【特許請求の範囲】
【請求項１】
メイン天板を有する第１の家具と、前記メイン天板に隣接可能なサブ天板を有する第２の家具と、前記メイン天板とサブ天板とを連結有効長さを変更し得る状態で相対回動可能に連結する連結手段と、少なくともこの連結手段の連結有効長さを所望の位置で固定するためのロック手段とを具備してなり、このロック手段による固定状態を解除することにより前記メイン天板と前記サブ天板とを相対的に移動させ得るように構成したものであって、
連結手段が、連結有効長さを変更することができる自由端リンクであり、自由端リンクが、メイン天板に取り付けられる第１の取付部と、この第１の取付部に回転可能に取り付けた第１の回転端子と、サブ天板に取り付けられる第２の取付部と、この第２の取付部に回転可能に取り付けた第２の回転端子と、第１の回転端子および第２の回転端子のいずれか一方に一端部を固定し他端側を他方の回転端子に軸心方向移動可能に係わらせたリンクメンバとを具備してなるものであり、ロック手段が、前記リンクメンバを他方の回転端子に対して固定し得るようにしたものであることを特徴とする家具システム。
【請求項２】
メイン天板を対面配置し得るように構成された対をなす第１の家具と、対面配置された両メイン天板の一側端に隣接可能なサブ天板を有する第２の家具と、前記各メイン天板とサブ天板とをそれぞれ連結有効長さを変更し得る状態で相対回動可能に連結する連結手段と、少なくともこれら連結手段の連結有効長さを所望の位置で固定するためのロック手段とを具備してなり、前記ロック手段による固定状態を解除することにより前記各メイン天板と前記サブ天板とを相対的に移動させ得るように構成したものであって、連結手段が、連結有効長さを変更することができる自由端リンクであり、自由端リンクが、メイン天板に取り付けられる第１の取付部と、この第１の取付部に回転可能に取り付けた第１の回転端子と、サブ天板に取り付けられる第２の取付部と、この第２の取付部に回転可能に取り付けた第２の回転端子と、第１の回転端子および第２の回転端子のいずれか一方に一端部を固定し他端側を他方の回転端子に軸心方向移動可能に係わらせたリンクメンバとを具備してなるものであり、ロック手段が、前記リンクメンバを他方の回転端子に対して固定し得るようにしたものであることを特徴とする家具システム。
【請求項３】
メイン天板が、一側辺を短辺とする平面視長方形状をなすものであり、サブ天板が、前記メイン天板の一側辺に対し２倍の長さの当接辺を具備したものである請求項２記載の家具システム。
【請求項４】
サブ天板に第１の取付部と対応する複数の第２の取付部を設けており、第１の取付部と何れかの第２の取付部との間に前記リンクメンバを掛け渡すようにしていることを特徴とする請求項１、２又は３記載の家具システム。
【請求項５】
メイン天板に第２の取付部と対応する複数の第１の取付部を設けており、第２の取付部と何れかの第１の取付部との間に前記リンクメンバを掛け渡すようにしていることを特徴とする請求項１、２又は３記載の家具システム。
【請求項６】
リンクメンバが、各部横断面形状が同一である軸状のものであり、他方の回転端子が、前記リンクメンバをスライド可能に貫通させる水平貫通孔を有したものである請求項１、２又は３記載の家具システム。
【請求項７】
一方の回転端子を取り付けたメイン天板またはサブ天板に他方の回転端子から抜き取ったリンクメンバを一定角度で保持するリンクメンバ保持手段を具備していることを特徴とする請求項６記載の家具システム。
【請求項８】
リンクメンバを金属で形成するとともに、リンクメンバ保持手段をマグネットで構成していることを特徴とする請求項７記載の家具システム。
【請求項９】
ロック手段が、他方の回転端子に水平貫通孔の軸心と直行させて設けたねじ孔と、このねじ孔にねじ込まれるねじ軸と、このねじ軸の外方端部に設けた操作用グリップとを具備してなり、前記操作用グリップを操作して前記ねじ軸を水平貫通孔内のリンクメンバに押付け得るようにしたものである請求項６記載の家具システム。
【発明の詳細な説明】
【０００１】
【発明の属する技術分野】
本発明は、会議などに好適に使用される家具システムに関するものである。
【０００２】
【従来の技術】
この種の家具システムとして、例えば、図１１に模式的に示すように、メイン天板ａを対面配置し得るように構成された対をなすメインテーブルｂと、対面配置された両メイン天板ａの一側辺に隣接可能なサブ天板ｃを有するサブテーブルｄとを具備してなるものが知られている。
【０００３】
そして、この種の家具システムの中には、テーブル相互間の位置ずれ防止やサブテーブルｄの安定支持などを目的にして、各メイン天板ａとサブ天板ｃとをヒンジ機構ｅを介して連結したものがある。すなわち、会議などで使用されるこの種の家具システムでは、討論などを行うためにメイン天板ａ同士を対面配置する第１の態様（図１１参照）と、サブ天板ｃ上にプロジェクタを配置してプレゼンテーションなどを行うために両メイン天板ａを平面視ハの字状に展開する第２の態様（図１２参照）とを選択的に採用し得ることが望ましい。そのため、前記目的を達しつつ前述した２態様をとることができるようにするために、従来のものは、メイン天板ａを、一側辺を短辺とする平面視長方形状をなすものにするとともに、サブ天板ｃを、前記メイン天板ａの一側辺に対し２倍の長さの当接辺を具備したものにし、各メイン天板ａの一側辺における使用端部分と、サブ天板ｃの当接辺の端部とをヒンジ機構ｅを介して回動可能に連結するようにしている。
【０００４】
【発明が解決しようとする課題】
ところが、このような構成のものでは、メイン天板ａとサブ天板ｃとをヒンジ機構ｅの回動軸心回りにしか相対移動させることができないため、前述した２態様以外の態様でメインテーブルｂとサブテーブルｄとを配列させることができないという問題がある。そのため、さらに配置自由度の高い家具システムの出現が望まれている。
【０００５】
【課題を解決するための手段】
前記の問題点を解決するために、本発明の前提としては、メイン天板を有する第１の家具と、前記メイン天板に隣接可能なサブ天板を有する第２の家具とを連結するにあたり、前記メイン天板とサブ天板とを連結有効長さを変更し得る状態で相対回動可能に連結する連結手段と、この連結手段の連結有効長さを所望の位置で固定するためのロック手段とを用いるようにし、このロック手段による固定状態を解除することにより前記メイン天板と前記サブ天板とを相対的に移動させ得るように構成したものである。
【０００６】
このような前提のものであれば、ロック手段による固定状態を解除することにより、第１の家具と第２の家具とを比較的自由に相対移動させることができる。すなわち、連結手段の連結有効長さを変化させることによって、連結手段のメイン天板に対する接合点とサブ天板に対する結合点との位置を変化させることができ、また、メイン天板とサブ天板同士がいずれかの箇所で当接するまでの広い範囲で、第１の家具と第２の家具とを回動させたり平行移動させることができる。すなわち、連結手段による連結有効長さを変更させつつ連結手段による連結方向を変化させることによって、ヒンジ機構により連結されている場合に比べて遥かに自由度の高い条件下で第１の家具と、第２の家具とを相対移動させることができる。そして、メイン天板とサブ天板とをいずれかの箇所において当接させた状態で、ロック手段により連結手段の連結有効長さを固定すれば、この連結手段の突張作用あるいは牽引作用によりメイン天板とサブ天板との相対移動が制限される。その結果、第１の家具と第２の家具との位置ずれを効果的に抑制することができる上に、両家具の転倒に対する安全性を高めることが可能となる。
【０００７】
会議などに好適な具体的態様としては、メイン天板を対面配置し得るように構成された対をなす第１の家具と、対面配置された両メイン天板の一側端に隣接可能なサブ天板を有する第２の家具と、前記各メイン天板とサブ天板とをそれぞれ連結有効長さを変更し得る状態で相対回動可能に連結する連結手段と、少なくともこれら連結手段の連結有効長さを所望の位置で固定するためのロック手段とを具備してなり、前記ロック手段による固定状態を解除することにより前記各メイン天板と前記サブ天板とを相対的に移動させ得るように構成した家具システムを本発明の前提として挙げることができる。
【０００８】
このような前提によれば、対をなす第１の家具と第２の家具との間で、それぞれ前述したような自由度の高い相対移動を実現することができる。そのため、前述した従来システムにより実現することができた２つの使用態様をとることができるのは勿論のこと、さらに、例えば、第１の家具同士を平行に離間移動させた位置でロックするようなことなども可能となる。
【０００９】
そして本発明は、連結手段の好ましい態様として、連結有効長さを変更することができる自由端リンクとしたものである。
【００１０】
すなわち、自由端リンクの好適な例である本発明は、メイン天板に取り付けられる第１の取付部と、この第１の取付部に回転可能に取り付けた第１の回転端子と、サブ天板に取り付けられる第２の取付部と、この第２の取付部に回転可能に取り付けた第２の回転端子と、第１の回転端子および第２の回転端子のいずれか一方に一端を固定し他端側を他方の回転端子に軸心方向移動可能に係わらせたリンクメンバとを具備してなることを特徴としたものである。この場合、ロック手段は、前記リンクメンバを他方の回転端子に対して固定し得るようにしたものであればよい。
【００１１】
また、会議用として好適なものにするとともに、メイン天板とサブ天板との円滑な相対移動を実現して家具システムの使い勝手を良好にするには、メイン天板が一側辺を短辺とする平面視長方形状をなすものであり、サブ天板が、前記メイン天板の一側辺に対し２倍の長さの当接辺を具備したものにするのがよい。
【００１２】
家具システムのレイアウトの多様性をさらに高める場合、サブ天板に第１の取付部と対応する複数の第２の取付部を設けており、第１の取付部と何れかの第２の取付部との間に前記リンクメンバを掛け渡すようにしているものが挙げられる。
【００１３】
そして、同様にレイアウトの多様性を高めるには、メイン天板に第２の取付部と対応する複数の第１の取付部を設けており、第２の取付部と何れかの第１の取付部との間に前記リンクメンバを掛け渡すようにしているものがよい。
【００１４】
かかる構造を採用する場合、リンクメンバを、各部横断面形状が同一である軸状のものであり、他方の回転端子が、前記リンクメンバをスライド可能に貫通させる水平貫通孔を有したものにしておけば、特に構造の簡略化を図ることができる上、リンクメンバと水平貫通孔との係わり合いを容易に解除して非連結状態にすることができる。
【００１５】
また、メイン天板とサブ天板を離間させ、リンクメンバが他方の回転端子と非連結状態である場合の好適な態様として、一方の回転端子を取り付けたメイン天板またはサブ天板に他方の回転端子から抜き取ったリンクメンバを一定角度で保持するリンクメンバ保持手段を具備しているものが挙げられる。
【００１６】
この場合、リンクメンバを金属で形成するとともに、リンクメンバ保持手段をマグネットで構成するのが望ましい。
【００１７】
また、ロック手段としては、他方の回転端子に水平貫通孔の軸心と直行させて設けたねじ孔と、このねじ孔にねじ込まれるねじ軸と、このねじ軸の外方端部に設けた操作用グリップとを具備してなり、前記操作用グリップを操作して前記ねじ軸を水平貫通孔内のリンクメンバに押付け得るようにしたものを挙げることができる。
【００１８】
【発明の実施の形態】
以下、本発明の実施の形態を、図１から図１０を参照して説明する。なお、図４は要部の拡大底面図、図５は図３に対応するＩ−Ｉ線拡大断面図、図６は一部を破断した作用説明図である。
【００１９】
本発明の家具システムＡは、図１に示すように、メイン天板１１を対面配置し得るように構成された対をなす第１の家具たるメインテーブル１と、対面配置された両メイン天板１１の一側端に隣接可能なサブ天板２１を有する第２の家具たるサブテーブル２と、前記各メイン天板１１とサブ天板２１とをそれぞれ連結有効長さを変更し得る状態で相対回動可能に連結する連結手段たる自由端リンク３と、少なくともこれら自由端リンク３の連結有効長さを所望の位置で固定するためのロック手段４とを具備している。そして、前記ロック手段４による固定された状態を解除することにより前記各メイン天板１１と前記サブ天板２１とを相対的に移動させ得るように構成している。
【００２０】
以下に、各部の詳細について説明する。
【００２１】
メインテーブル１は、図１および図３に示すように、一側辺１１ａを短辺とする平面視長方形状の前記メイン天板１１と、図１から図３に示すように、メイン天板１１の幅方向両端部近傍を支持する左右に対をなす脚要素１２と、前記脚要素１２の使用端１２ａ側を支持するアジャスタ１４と、反使用端１２ｂ側を支持するキャスタ１３とを具備しており、メイン天板１１の使用端１１ｂ側を若干持ち上げて前記アジャスタ１４が床面Ｆから微妙に浮き上がるように傾斜させた状態で前記キャスタ１３を利用して移動可能にしているものである。
【００２２】
サブテーブル２は、図１から図３に示すように、床面Ｆを支持する平面視略円形状のベース２３と、ベース２３から起立してなる支持体２２と、支持体２２に支持されており、前記メイン天板１１の前記一側辺１１ａに対し２倍の長さの当接辺２１ａを具備した平面視半円状の前記サブ天板２１とを具備している。
【００２３】
自由端リンク３は、図４および図５に示すように、メイン天板１１に取り付けられる略円板状の第１の取付部３１と、第１の取付部３１と略同径の円筒状で形成してあり前記第１の取付部３１の一端側に回転可能に取り付けた第１の回転端子３２と、サブ天板２１に取り付けられる第２の取付部３３と、第２の取付部３３と略同径の円筒状で形成してあり前記第２の取付部３３の一端側に回転可能に取り付けた第２の回転端子３４と、第１の回転端子３２に一端部３５ａを固定し他端３５ｂ側を第２の回転端子３４に係わらせたリンクメンバ３５とを具備している。第１の取付部３１は、図５に示すように、メイン天板１１と対向する側に厚み方向に沿って設けた第１のねじ軸３１ａを有しており、前記第１のねじ軸３１ａをメイン天板１１の下面側に埋め込んで取り付けた第１のナット３１ｂにねじ込んで取り付けてある。また、第２の取付部３３は、サブ天板２１と対向する側に厚み方向に沿って設けた第２のねじ軸３３ａを有しており、前記第２のねじ軸３３ａをサブ天板２１の下面側に埋め込んで取り付けた第２のナット３３ｂにねじ込んで取り付けてある。そして、第２の回転端子３４に設けた水平貫通孔３４ａには、横断面形状が略円形状に形成された軸状のリンクメンバ３５を、自由端リンク３の連結有効長さを変更し得るようにスライド可能に貫通させて係わらせた状態にしてある。また、リンクメンバ３５は、金属で形成してあり、第１のねじ軸３１ａおよび第２のねじ軸３３ａ回りに正逆方向に水平回動するように構成してある。また、メイン天板１１には、図３に示すように、第２の回転端子と非連結状態であるリンクメンバ３５をメイン天板１１下方で一定角度に保持して収納するために設けたリンクメンバ保持手段５が取り付けてある。前記リンクメンバ保持手段５は、マグネットで形成してある。なお、図３の想像線で示してあるリンクメンバ３５は、リンクメンバ保持手段５によりメイン天板１１下方で保持された状態である。
【００２４】
ロック手段４は、図４および図５に示すように、第２の回転端子３４に水平貫通孔３４ａの軸心ｍと直行させて設けたねじ孔４１と、このねじ孔４１にねじ込まれるねじ軸４２と、このねじ軸４２の外方端部４２ａに設けた円板状の操作用グリップ４３とを具備している。そして、ロック手段４は、図６（ａ）に示すように、リンクメンバ３５を開放して自由端リンク３の動作を妨げない状態である解除状態Ｐと、操作用グリップ４３を操作して、図６（ｂ）に示すように、リンクメンバ３５を第２の回転端子３４に対して固定することで自由端リンク３の動作を固定し得るように構成し、メイン天板１１と前記サブ天板２１の相対的な移動を禁止する固定状態Ｑとをとる。なお、固定状態Ｑは、ロック手段４の操作用グリップ４３を締め込み前記ねじ軸４２を水平貫通孔３４ａ内のリンクメンバ３５に押付けて水平貫通孔３４ａに対してスライド不能に、且つ自由端リンク３を水平回動のみ可能にして自由端リンク３の連結有効長さを固定した状態である。
【００２５】
このような構成のものにおいて、本実施の形態の家具システムＡは、ロック手段４を解除状態Ｐにして、対をなすメインテーブル１とサブテーブル２を相対移動させ得るように構成しており、例えば、図７から図１０に模式的に示すように、様々な使用態様をとるものである。
【００２６】
図７は、討論等を行う際に利用する態様であって、メイン天板１１同士を対面配置しており、メイン天板１１の各一側辺１１ａをサブ天板２１の当接辺２１ａに完全に当接して固定している状態である。また、図８および図９は、サブ天板２１にプロジェクタ等を配置してプレゼンテーション等を実施する態様であって、メイン天板１１の一側辺１１ａとサブ天板２１の一部を当接して両メイン天板１１を平面視略ハの字状に展開した固定状態Ｑである。この態様は、自由端リンク３の連結有効長さを変更することで様々な展開角度をとる。そして、図１０は、メインテーブル１同士を平行に離間させた態様であり、自由端リンク３の連結有効長さを変更してメイン天板１１同士の離間距離を変化させて固定状態Ｑにしている。
【００２７】
このような構成であると、ロック手段４による固定状態Ｑを解除する解除状態Ｐにおいて、メインテーブル１とサブテーブル２とを比較的自由に相対移動させることができる。すなわち、自由端リンク３の連結有効長さを変更することによって、自由端リンク３のメイン天板１１に対する接合点とサブ天板２１に対する結合点との位置を変化させることができ、また、メイン天板１１とサブ天板２１同士がいずれかの箇所で当接するまでの広い範囲で、メインテーブル１とサブテーブル２とを回動させたり平行移動させることができる。すなわち、連結有効長さを変更させつつ自由端リンク３を水平回動させることによって、ヒンジ機構により連結されている場合に比べて遥かに自由度の高い条件下でメインテーブル１と、サブテーブル２とを相対移動させることができる。そして、メイン天板１１とサブ天板２１とをいずれかの箇所において当接させた状態で、ロック手段４により自由端リンク３の連結有効長さを固定すれば、この自由端リンク３の突張作用あるいは牽引作用によりメイン天板１１とサブ天板２１との相対移動が制限される。その結果、メインテーブル１とサブテーブル２との位置ずれを効果的に抑制することができる上に、両テーブルの転倒に対する安全性を高めることができる。
【００２８】
さらに、対をなすメインテーブル１とサブテーブル２との間で、前述した従来システムより実現することができた２つの使用態様をとることができるのは勿論のこと、さらに、メインテーブル１同士を平行に離間移動させた位置でロックすることもできる。
【００２９】
また、メイン天板１１が一側辺１１ａを短辺とする平面視長方形状をなすものであり、サブ天板２１が、前記メイン天板１１の一側辺１１ａに対し２倍の長さの当接辺２１ａを具備したものにしておけば、収まりが良く、会議用として好適に使用できるとともに、家具システムＡの使い勝手を良好にする。
【００３０】
さらに、連結手段として自由端リンク３を採用しているので、簡単な構成によりメインテーブル１とサブテーブル２とを連結することができる。
【００３１】
そして、自由端リンク３が、メイン天板１１に取り付けられる第１の取付部３１と、この第１の取付部３１に回転可能に取り付けた第１の回転端子３２と、サブ天板２１に取り付けられる第２の取付部３３と、この第２の取付部３３に回転可能に取り付けた第２の回転端子３４と、第１の回転端子３２に一端部３５ａを固定し他端３５ｂ側を第２の回転端子３４に軸心ｍ方向移動可能に係わらせたリンクメンバ３５とを具備してなるものであり、ロック手段４が、前記リンクメンバ３５を第２の回転端子３４に対して固定し得るようにしたものなので、操作性も良好なものとなる。
【００３２】
また、リンクメンバ３５が、各部横断面形状が同一である軸状のものであり、第２の回転端子３４が、前記リンクメンバ３５をスライド可能に貫通させる水平貫通孔３４ａを有したものなので、特に構造の簡略化を図ることができる上、リンクメンバ３５と水平貫通孔３４ａとの係わり合いを容易に解除してリンクメンバ３５を第２の回転端子３４に対して非連結状態にすることができる。
【００３３】
さらに、メイン天板１１とサブ天板２１とを離間させてリンクメンバ３５が第２の回転端子３４と非連結状態である場合に、第１の回転端子３２を取り付けたメイン天板１１に第２の回転端子３４から抜き取ったリンクメンバ３５を一定角度で保持するリンクメンバ保持手段５を具備しているので、水平貫通孔３４から抜き出したリンクメンバ３５の水平回動を防止するとともにメイン天板１１の下方に格納することで、リンクメンバ３５がメイン天板１１の外方に飛び出ることを防止してメインテーブル１の運搬を容易にするとともに、メインテーブル１を単体で好適に利用できる。
【００３４】
なお、本発明における構成は、以上説明したものに限定されないのは勿論である。例えば、本実施の形態では、ロック手段４が、自由端リンク３の連結有効長さを所望の位置で固定するようにしているが、これに加えて、固定状態Ｑにおいて第１の回転端子３２および第２の回転端子３４の回転を不能にする構成にしてもよい。このようなものであると、家具システムＡを利用する際、ロック手段４は、自由端リンク３の水平回動を不能にして、メイン天板１１とサブ天板２１との相対移動の制限をさらに強固にすることができるので、家具システムＡに対して不測の衝突等による外力が生じても、安定した態様を保持する。そのため、利用者に良好な使用感を提供することができる。さらに、サブ天板２１に第１の取付部３１と対応する複数の第２の取付部３３を設けており、第１の取付部３１と何れかの第２の取付部３３との間に前記リンクメンバ３５を掛け渡すように構成してもよい。このようなものであると、リンクメンバ３５を係わり合わせる第２の取付部３３を選択的に使用することが可能なのでレイアウトの自由度をさらに高めることができる。また、リンクメンバ３５の一端部３５ａを第１の回転端子３２に固定し、他端３５ｂ側を第２の回転端子３４に係わらせて、ロック手段４のねじ孔４１を第２の回転端子３４に設けるように構成しているが、これに限らず、一端部３５ａを第２の回転端子３４に固定し、他端３５ｂ側を第１の回転端子３２に軸心ｍ方向移動可能に係わらせて、ロック手段４のねじ孔４１を第１の回転端子３２に設けるように構成したものであってもよい。そして、この場合、家具システムＡのレイアウトの自由度をさらに高めるには、メイン天板１１に第２の取付部３４と対応する複数の第１の取付部３１を設けており、第２の取付部３３と何れかの第１の取付部３１との間に前記リンクメンバ３５を掛け渡すようにしているものがよい。
【００３５】
なお、また、メイン天板１１とサブ天板２１とは、同一形態のものでもよいのは勿論である。
【００３６】
その他、各部の具体的構成についても上記実施の形態に限られるものではなく、本発明の趣旨を逸脱しない範囲で種々変形が可能である。
【００３７】
【発明の効果】
本発明は、以上のような構成であるから、ロック手段による固定状態を解除することにより、第１の家具と第２の家具とを比較的自由に相対移動させることができる。すなわち、連結手段の連結有効長さを変化させることによって、連結手段のメイン天板に対する接合点とサブ天板に対する結合点との位置を変化させることができ、また、メイン天板とサブ天板同士がいずれかの箇所で当接するまでの広い範囲で、第１の家具と第２の家具とを回転させたり平行移動させることができる。すなわち、連結手段の長さを変更させつつ連結手段を水平回動させることによって、ヒンジ機構により連結されている場合に比べて遥かに自由度の高い条件下で第１の家具と、第２の家具とを相対移動させることができる。そして、メイン天板とサブ天板とをいずれかの箇所において当接させた状態で、ロック手段により連結手段の連結有効長さを固定すれば、この連結手段の突張作用あるいは牽引作用によりメイン天板とサブ天板との相対移動が制限される。その結果、第１の家具と第２の家具との位置ずれを効果的に抑制することができる上に、両家具の転倒に対する安全性を高めることができる。
【００３８】
また、メイン天板を対面配置し得るように構成された対をなす第１の家具と、両メイン天板の一側端に隣接するサブ天板を有する第２の家具と、前記各メイン天板とサブ天板とをそれぞれ連結有効長さを変更し得る状態で相対回動可能に連結する連結手段と、少なくともこれら連結手段の連結有効長さを所望の位置で固定するロック手段とを具備してなり、前記ロック手段による固定状態を解除することにより前記各メイン天板と前記サブ天板とを相対的に移動させ得るように構成した家具システムなので、対をなす第１の家具と第２の家具との間で、それぞれ前述したような自由度の高い相対移動を実現することができる。そのため、前述した従来システムより実現することができた２つの使用態様をとることができるのは勿論のこと、さらに、例えば、第１の家具同士を平行に離間移動させた位置でロックするようなことなども可能となる。
【図面の簡単な説明】
【図１】本発明の一実施の形態を示す全体斜視図。
【図２】同正面図。
【図３】同平面図。
【図４】同要部を示す拡大底面図。
【図５】図３に対応するＩ−Ｉ線拡大断面図。
【図６】同一部を破断した作用説明図。
【図７】同家具システムの態様例を示す平面図。
【図８】同家具システムの態様例を示す平面図。
【図９】同家具システムの態様例を示す平面図。
【図１０】同家具システムの態様例を示す平面図。
【図１１】従来例の一態様を示す平面図。
【図１２】従来例の他の態様を示す平面図。
【符号の説明】
１・・・第１の家具（メインテーブル）
１１・・・メイン天板
１１ａ・・・一側辺
２・・・第２の家具（サブテーブル）
２１・・・サブ天板
２１ａ・・・当接辺
３・・・連結手段（自由端リンク）
３１・・・第１の取付部
３２・・・第１の回転端子
３３・・・第２の取付部
３４・・・第２の回転端子
３４ａ・・・水平貫通孔
３５・・・リンクメンバ
３５ａ・・・一端部
３５ｂ・・・他端
４・・・ロック手段
４１・・・ねじ孔
４２・・・ねじ軸
４３・・・操作用グリップ
５・・・リンクメンバ保持手段
Ａ・・・家具システム
Ｑ・・・固定状態
ｍ・・・軸心
【図１】
0004057272.tif 000002
【図２】
0004057272.tif 000003
【図３】
0004057272.tif 000004
【図４】
0004057272.tif 000005
【図５】
0004057272.tif 000006
【図６】
0004057272.tif 000007
【図７】
0004057272.tif 000008
【図８】
0004057272.tif 000009
【図９】
0004057272.tif 000010
【図１０】
0004057272.tif 000011
【図１１】
0004057272.tif 000012
【図１２】
0004057272.tif 000013